(57)【要約】【課題】複数の電子部品を有するとともに厚さの増大を抑制できる表示装置を提供する。【解決手段】一つの実施の形態に係る表示装置は、筐体と、第１の基板と、第２の基板とを備える。前記第１の基板は、前記筐体に収容される。前記第２の基板は、隙間を介して前記第１の基板に重ねられる。【選択図】    図５
2013080066.tif 000002
【特許請求の範囲】
【請求項１】
筐体と、
前記筐体に設けられたコネクタカバーと、
前記筐体に収容された第１の基板と、
隙間を介して前記第１の基板に重ねられた第２の基板と、
を具備し、
前記コネクタカバーは、前記第２の基板が取り付けられた固定部を備えた表示装置。
【請求項２】
前記第２の基板に挿通孔が設けられ、
前記固定部は、
前記コネクタカバーから延びた基部と、前記基部から突出して前記挿通孔に挿入された突出部と、を有した第１の部分と、
前記コネクタカバーから延び、前記基部とともに前記第２の基板を挟持する第２の部分と、
を備えた請求項１に記載の表示装置。
【請求項３】
前記固定部の第１の部分と第２の部分とは、前記第２の基板を回動可能に挟持し、
前記第２の基板は、前記固定部の第１の部分と第２の部分とに挟持された状態から回動させられることで、前記固定部から取り外し可能となる請求項２に記載の表示装置。
【請求項４】
一方の端部が前記第１の基板に取り付けられ、他方の端部が前記第２の基板に取り付けられ、前記第２の基板の回動を規制した係止具をさらに具備した請求項３に記載の表示装置。
【請求項５】
前記第２の基板は、前記コネクタカバーに向いた縁部と、前記縁部に設けられた溝部と、を有し、
前記固定部は、前記溝部に入り込むガイド部を有した請求項４に記載の表示装置。
【請求項６】
前記コネクタカバーに、前記筐体の外に向かって開口する開口部が設けられ、
前記第１の基板は、電子部品が実装された第１の実装面を有し、
前記第２の基板は、前記第１の実装面に対向するとともに前記コネクタカバーの開口部から前記筐体の外に露出されたコネクタが実装された第２の実装面を有した請求項１ないし５のいずれか一つに記載の表示装置。
【請求項７】
前記第１の基板に実装された前記電子部品と、前記第２の基板に実装された前記コネクタとが、互いにずらされて配置された請求項６に記載の表示装置。
【請求項８】
前記第１の部分の突出部は、前記コネクタに端子が挿脱される方向における前記第２の基板の動きを規制する請求項２ないし５のいずれか一つを引用する請求項６に記載の表示装置。
【請求項９】
筐体と、
前記筐体に収容された第１の基板と、
隙間を介して前記第１の基板に重ねられた第２の基板と、
を具備した表示装置。
【請求項１０】
前記第１の基板は、電子部品が実装された第１の実装面を有し、
前記第２の基板は、前記第１の実装面に対向するとともに他の電子部品が実装された第２の実装面を有した請求項９に記載の表示装置。
【請求項１１】
前記第１の基板に実装された前記電子部品と、前記第２の基板に実装された前記他の電子部品とが、互いにずらされて配置された請求項１０に記載の表示装置。
【発明の詳細な説明】
【技術分野】
【０００１】
本発明の実施形態は、表示装置に関する。
【背景技術】
【０００２】
テレビのような表示装置は、映像を表示するディスプレイモジュールと、種々の電子部品が実装されるプリント配線板のような基板を有している。基板に実装される電子部品は、例えばＨＤＭＩコネクタのようなコネクタである。
【先行技術文献】
【特許文献】
【０００３】
【特許文献１】実公平６−３９５００号公報
【発明の概要】
【発明が解決しようとする課題】
【０００４】
一般的に、テレビのような表示装置は、薄型化が求められる。一方、表示装置の基板には、多数のコネクタが実装される。一つの規格に対応する複数のコネクタ（例えば、複数のＨＤＭＩコネクタ）が、基板に実装されることもある。
【０００５】
本発明の目的は、複数の電子部品を有するとともに厚さの増大を抑制できる表示装置を提供することにある。
【課題を解決するための手段】
【０００６】
一つの実施の形態に係る表示装置は、筐体と、第１の基板と、第２の基板とを備える。前記第１の基板は、前記筐体に収容される。前記第２の基板は、隙間を介して前記第１の基板に重ねられる。
【図面の簡単な説明】
【０００７】
【図１】第１の実施の形態に係るテレビを示す正面図。
【図２】第１の実施形態のテレビを示す背面図。
【図３】第１の実施形態のコネクタカバーとその周辺部品とを示す斜視図。
【図４】第１の実施形態の第１の基板および第２の基板を示す斜視図。
【図５】第１の実施形態のコネクタカバー、第１の基板、および第２の基板を、図３のＦ５−Ｆ５線に沿って示す断面図。
【図６】第１の実施形態のコネクタカバーを示す斜視図。
【図７】第１の実施形態の固定部に固定される第２の基板を概略的に示す断面図。
【図８】第２の実施の形態に係る固定部に固定される第２の基板を概略的に示す断面図。
【発明を実施するための形態】
【０００８】
以下に、第１の実施の形態について、図１から図７を参照して説明する。図１は、第１の実施の形態に係るテレビ１０を示す正面図である。図２は、テレビ１０を示す背面図である。テレビ１０は、いわゆる薄型テレビであって、表示装置の一例である。
【０００９】
図１に示すように、テレビ１０は、筐体１１と、ディスプレイモジュール１２と、スタンド１３とを備えている。ディスプレイモジュール１２は、例えば液晶ディスプレイであり、画像を表示するスクリーン１２ａを有している。ディスプレイモジュール１２は、筐体１１に収容されている。スタンド１３は、筐体１１に取り付けられ、筐体１１を支持している。
【００１０】
筐体１１は、フロントカバー２１と、図２に示すリアカバー２２とを有している。フロントカバー２１は、筐体１１の正面を形成する。リアカバー２２は、筐体１１の背面を形成する。フロントカバー２１に、ディスプレイモジュール１２のスクリーン１２ａを露出させるディスプレイ開口２４が設けられている。
【００１１】
図２に示すように、リアカバー２２に、スタンド取付部２６と、コネクタカバー３０が設けられている。スタンド取付部２６に、スタンド１３が例えばネジによって固定されている。
【００１２】
図３は、コネクタカバー３０とその周辺部品とを示す斜視図である。コネクタカバー３０は、リアカバー２２の外面の一部を形成する樹脂製の部品である。コネクタカバー３０は、リアカバー２２から独立した部品であっても、リアカバー２２と一体に形成されても良い。
【００１３】
コネクタカバー３０に、複数の開口部３１が設けられている。開口部３１は、筐体１１の外に向かって開口している。開口部３１から、筐体１１の内部に配置された三つのＨＤＭＩコネクタ３３、二つのＵＳＢコネクタ３４，３５、映像端子３６、四つのジャック３７、ＩＣカードスロット３８、およびメモリーカードスロット３９が、筐体１１の外にそれぞれ露出されている。ＨＤＭＩコネクタ３３、ＵＳＢコネクタ３４、映像端子３６、およびジャック３７は、電子部品の一例である。ＵＳＢコネクタ３５およびメモリーカードスロット３９とは、コネクタおよび他の電子部品の一例である。
【００１４】
図２に示すように、筐体１１に、第１の基板４１と、第２の基板４２とが収容されている。第１の基板４１は、第２の基板４２よりも大きい。図３に示すように、第１の基板４１と第２の基板４２とは、隙間を介して互いに重ねられている。
【００１５】
第１の基板４１および第２の基板４２は、例えばリジッドプリント配線板である。なお、第１の基板４１および第２の基板４２はこれに限らず、例えばフレキシブルプリント配線板であっても良い。
【００１６】
第１の基板４１は、例えばスペーサを介してディスプレイモジュール１２の背面に固定されている。また、第１の基板４１は、コネクタカバー３０に保持されている。なお、第１の基板４１はこれに限らず、例えばコネクタカバー３０に固定されても良い。
【００１７】
図４は、第１の基板４１および第２の基板４２を示す斜視図である。第１の基板４１は、第１の実装面４４を有している。第１の実装面４４は、リアカバー２２の内面に対向している。
【００１８】
第１の実装面４４に、ＨＤＭＩコネクタ３３、ＵＳＢコネクタ３４、映像端子３６、ジャック３７、および複数の他の電子部品４５がそれぞれ実装されている。他の電子部品４５は、例えばコンデンサやフレキシブルケーブルが取り付けられるコネクタである。
【００１９】
ＨＤＭＩコネクタ３３、ＵＳＢコネクタ３４、映像端子３６、およびジャック３７は、第１の基板４１の一つの縁部４１ａに沿って、それぞれ配置されている。第１の基板４１の一つの縁部４１ａは、コネクタカバー３０の内面３０ａに面している。
【００２０】
図５は、図３のＦ５−Ｆ５線に沿ってコネクタカバー３０、第１の基板４１、および第２の基板４２を示す断面図である。図５に示すように、第２の基板４２は、第２の実装面４７と、他方の面４８とを有している。第２の実装面４７は、第１の基板４１の第１の実装面４４に対向している。他方の面４８は、第２の実装面４７の反対側に位置する。
【００２１】
図４に示すように、第２の実装面４７に、ＵＳＢコネクタ３５、メモリーカードスロット３９、および複数の他の電子部品４９が実装されている。他の電子部品４９は、例えばコンデンサやフレキシブルケーブルが取り付けられるコネクタである。
【００２２】
ＵＳＢコネクタ３５およびメモリーカードスロット３９は、第２の基板４２の一つの縁部４２ａに沿って、それぞれ配置されている。第２の基板４２の一つの縁部４２ａは、コネクタカバー３０の内面３０ａに面している。
【００２３】
ＵＳＢコネクタ３５およびメモリーカードスロット３９は、ＨＤＭＩコネクタ３３、ＵＳＢコネクタ３５、映像端子３６、およびジャック３７と互いにずらされて配置されている。これにより、例えばＵＳＢコネクタ３５の側面と、一つのジャック３７の側面とが対向する。
【００２４】
第１の実装面４４に実装された他の電子部品４５であるコネクタと、第２の実装面４７に実装された他の電子部品４９であるコネクタとが、フレキシブルケーブルによって接続される。これにより、第１の基板４１と第２の基板４２とが電気的に接続される。なお、第１の基板４１と第２の基板４２とは、それぞれ別の部品と接続されても良い。
【００２５】
図６は、コネクタカバー３０を示す斜視図である。図６に示すように、コネクタカバー３０に、固定部５１と、二つのボス５２，５３とが設けられている。固定部５１に、第２の基板４２が固定されている。固定部５１は、二つの第１の部分５５，５６と、第２の部分５７，５８とを有している。二つの第１の部分５５，５６と、二つの第２の部分５７，５８とは、コネクタカバー３０の長手方向において交互に配置されている。
【００２６】
図５に示すように、第１の部分５５は、基部６１と、突出部６２とを有している。基部６１は、第１の基板４１と第２の基板４２との間に位置し、コネクタカバー３０の内面３０ａから延びている。基部６１の先端に、当接部６３が設けられている。当接部６３は、第２の基板４２に向かって突出し、第２の実装面４７に当接している。当接部６３は、基部６１の一部である。
【００２７】
突出部６２は、円柱状に形成され、基部６１から第２の基板４２に向かって突出している。突出部６２は、当接部６３よりもコネクタカバー３０に近い。突出部６２の先端は、例えば４５°に面取りされている。
【００２８】
第２の基板４２に、挿通孔６５が設けられている。挿通孔６５は、突出部６２に対応して円形状に設けられている。突出部６２は、挿通孔６５に挿入されることで、図５の矢印Ｄで示す方向における第２の基板４２の動きを規制する。図５の矢印Ｄが示す方向は、例えばＵＳＢコネクタ３５にＵＳＢ端子が挿脱される方向であり、メモリーカードスロット３９にメモリーカードが挿脱される方向である。
【００２９】
図６に示すように、他方の第１の部分５６は、第１の部分５５と同様に基部６１と突出部６２とを有している。第１の部分５６は、ガイド部６７をさらに有している。ガイド部６７は、基部６１の突出部６２が突出した面から立ち上がり、基部６１とコネクタカバー３０の内面３０ａとに亘って設けられている。ガイド部６７は、台形のリブ状に形成されている。
【００３０】
図４に示すように、第２の基板４２に、溝部６８が設けられている。溝部６８は、ガイド部６７に対応し、第２の基板４２の一つの縁部４２ａに設けられている。溝部６８は、縁部４２ａの長手方向の中央から外れて設けられている。溝部６８に、ガイド部６７が入り込んでいる。
【００３１】
図５に示すように、第２の部分５７は、コネクタカバー３０の内面３０ａから延びている。第２の部分５７の先端は、第１の部分５５の突出部６２よりも、コネクタカバー３０に近い。第２の部分５７の先端と突出部６２との間には、第２の基板４２が通ることができる隙間が設けられている。第２の部分５７の先端は、当該隙間を拡張するように例えば４５°に面取りされている。
【００３２】
第２の部分５７は、第２の基板４２の他方の面４８に当接している。これにより、第１の部分５５の当接部６３と、第２の部分５７とが、第２の基板４２を図５の矢印Ｒで示すように回動可能に挟持する。他方の第２の部分５８は、第２の部分５７と同様に形成されているため、その説明を省略する。
【００３３】
図５に示すように、第１の基板４１と第２の基板４２とに、係止具７０が取り付けられている。係止具７０は、スペーサ部７１と、第１の端部７２と、第２の端部７３とを有している。第１の端部７２は、係止具の一方の端部の一例である。第２の端部７３は、係止具の他方の端部の一例である。
【００３４】
スペーサ部７１の一方の端部は、第１の基板４１の第１の実装面４４に当接している。スペーサ部７１の他方の端部は、第２の基板４２の第２の実装面４７に当接している。スペーサ部７１は、第１の基板４１と第２の基板４２との間の隙間を保持する。
【００３５】
第１の端部７２は、スペーサ部７１の一方の端部に設けられている。第１の端部７２は、弾性的に径が縮小する爪状に形成されている。第１の端部７２は、第１の基板４１に設けられた第１の係止孔７５に嵌め込まれることで、第１の基板４１に引っかかる。これにより、第１の端部７２が第１の基板４１に取り付けられる。
【００３６】
第２の端部７３は、スペーサ部７１の他方の端部に設けられている。第２の端部７３は、弾性的に径が縮小する爪状に形成されている。第２の端部７３は、第２の基板４２に設けられた第２の係止孔７６に嵌め込まれることで、第２の基板４２に引っかかる。これにより、第２の端部７３が第２の基板４２に取り付けられ、係止具７０が図５の矢印Ｒで示すような第２の基板４２の回動を規制する。
【００３７】
図３に示すように、ボス５２は、第１の基板４１から外れた位置に設けられている。第２の基板４２は、ボス５２にネジ止めされる。なお、第２の基板４２をボス５２に固定するネジは、リアカバー２２の一部も一緒に固定して良い。
【００３８】
次に、図７を参照して、第２の基板４２をコネクタカバー３０に取り付ける方法の一例について説明する。なお、以下の記載において、第１の部分５５および第２の部分５７について代表して説明し、第１の部分５６および第２の部分５８については説明を省略する。
【００３９】
図７は、固定部５１に固定される第２の基板４２を概略的に示す断面図である。図７において、第１の部分５５および第２の部分５７に挟持された状態の第２の基板４２を二点鎖線で示す。
【００４０】
まず、図７に示すように、第２の基板４２を、コネクタカバー３０に対して、第１の部分５５および第２の部分５７に挟持される状態からおおよそ角度θだけ傾ける。角度θは、例えば４５°である。これにより、第２の基板４２を、第２の部分５７と突出部６２との間の隙間に通すことができる。傾けられた第２の基板４２を、図７の矢印のように当該隙間に通す。第２の基板４２が正しい向きで当該隙間に通されることで、ガイド部６７が溝部６８に入り込む。
【００４１】
次に、第２の基板４２を、第１の部分５５に向かって角度θだけ回動させる。ガイド部６７によって、第２の基板４２の回動がガイドされる。ガイド部６７が台形状に形成されているため、第２の基板４２は、ガイド部６７に衝突せずに回動できる。
【００４２】
回動させられた第２の基板４２の第２の実装面４７は、第１の部分５５の当接部６３に当接する。同時に、第２の基板４２の他方の面４８が、第２の部分５７に当接する。これにより、第２の基板４２は、第１の部分５５の基部６１と、第２の部分５７とによって回動可能に挟持される。さらに、第２の基板４２の挿通孔６５に、第１の部分５５の突出部６２が挿入される。これにより、第２の基板４２の、図５の矢印Ｄで示す方向の動きが規制される。
【００４３】
次に、係止具７０の第１の端部７２を、第１の基板４１の第１の係止孔７５に嵌め込むことで、第１の基板４１に取り付ける。さらに、係止具７０の第２の端部７３を、第２の基板４２の第２の係止孔７６に嵌め込むことで、第２の基板４２に取り付ける。
【００４４】
次に、第２の基板４２をボス５２にネジ止めする。以上の工程により、第２の基板４２が、コネクタカバー３０に取り付けられる。
【００４５】
第２の基板４２をコネクタカバー３０から取り外す場合、上記と逆の手順を行う。すなわち、第２の基板４２をボス５２に固定しているネジを取り外し、第２の基板４２から係止具７０を取り外す。次に、固定部５１の第１の部分５５と第２の部分５７とに挟持された図７に二点鎖線で示す第２の基板４２を、角度θだけ回動させる。これにより、第２の基板４２の挿通孔６５から突出部６２が外れ、第２の基板４２が固定部５１から取り外し可能となる。第２の基板４２を、第２の部分５７と突出部６２との間の隙間から抜き出すことで、第２の基板４２がコネクタカバー３０から取り外される。
【００４６】
前記構成のテレビ１０によれば、第１の基板４１の第１の実装面４４と、第２の基板４２の第２の実装面４７とが対向している。これにより、第１の実装面４４に実装されたＨＤＭＩコネクタ３３、ＵＳＢコネクタ３４、映像端子３６、およびジャック３７と、第２の実装面４７に実装されたＵＳＢコネクタ３５およびメモリーカードスロット３９とが、互いにずらされて配置されることができる。このため、第１の基板４１と第２の基板４２とが重ねられた場合であっても、テレビ１０の厚みが増大することを抑制できる。
【００４７】
第２の基板４２は、第１の部分５５，５６と第２の部分５７，５８とを有する固定部５１に固定されている。これにより、ネジを用いて第２の基板４２を固定するよりも、テレビ１０の厚みの増大を抑制できる。また、テレビ１０の部品点数の増加を抑制できる。
【００４８】
固定部５１の第１の部分５５，５６の突出部６２は、図５の矢印Ｄで示す方向における第２の基板４２の動きを規制する。これにより、例えばＵＳＢコネクタ３５にＵＳＢ端子が挿脱されたとしても、第２の基板４２がコネクタカバー３０から外れることを防止できる。
【００４９】
固定部５１の第１の部分５５，５６と第２の部分５７，５８とは、第２の基板４２を回動可能に挟持する。第２の基板４２は、回動させられることで、固定部５１から取り外し可能となる。これにより、第２の基板４２を容易にコネクタカバー３０に着脱することができ、テレビ１０の製造工程にかかる時間を低減できる。
【００５０】
係止具７０が、第１の基板４１と第２の基板４２とに取り付けられることで、第２の基板４２の回動を規制する。これにより、不用意に第２の基板４２がコネクタカバー３０から脱落することを防止できる。
【００５１】
第２の基板４２に溝部６８が設けられ、固定部５１は溝部６８に入り込むガイド部６７を有している。これにより、固定部５１に第２の基板４２を取り付ける向きが容易に判別でき、テレビ１０の製造工程にかかる時間を低減できる。
【００５２】
次に、図８を参照して、第２の実施の形態について説明する。なお、以下に開示する実施形態において、第１の実施形態のテレビ１０と同一の機能を有する構成部分には同一の参照符号を付す。さらに、当該構成部分については、その説明を一部または全て省略することがある。
【００５３】
図８は、第２の実施の形態に係る固定部５１に固定される第２の基板４２を概略的に示す断面図である。図８に示すように、第２の実施形態の突出部６２は、爪部７９を有するとともに、弾性的に径を縮小可能である。爪部７９は、突出部７９の先端部に設けられ、コネクタカバー３０の反対側に突出している。
【００５４】
突出部６２が第２の基板４２の挿通孔６５に挿入されると、爪部７９が第２の基板４２に引っかかる。これにより、第２の基板４２が、図５の矢印Ｒで示すように回動することが規制される。これにより、第２の基板４２が不用意に脱落することを防止できる。
【００５５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００５６】
例えば、上記実施の形態において、第１の基板４１と第２の基板４２とは互いに独立した部品であったが、これに限らず、第１の基板と第２の基板とがフレキシブルプリント配線板によって一体に形成されてもよい。
【符号の説明】
【００５７】
１０…テレビ、１１…筐体、３０…コネクタカバー、３１…開口部、３３…ＨＤＭＩコネクタ、３４，３５…ＵＳＢコネクタ、３６…映像端子、３７…ジャック、３８…ＩＣカードスロット、３９…メモリーカードスロット、４１…第１の基板、４１ａ…縁部、４２…第２の基板、４２ａ…縁部、４４…第１の実装面、４７…第２の実装面、５１…固定部、５５，５６…第１の部分、５７，５８…第２の部分、６１…基部、６２…突出部、６５…挿通孔、６７…ガイド部、６８…溝部、７０…係止具。
【図１】
2013080066.tif 000003
【図２】
2013080066.tif 000004
【図３】
2013080066.tif 000005
【図４】
2013080066.tif 000006
【図５】
2013080066.tif 000007
【図６】
2013080066.tif 000008
【図７】
2013080066.tif 000009
【図８】
2013080066.tif 000010